(57)【要約】本発明は、少なくとも１つの機能機器（１０）と少なくとも１つの遠隔制御ユニット（１１）を有する電子動作システムに係る。インタラクションの可能性をより集約的で、更によりユーザフレンドリな方法で実施するために、遠隔制御ユニット及び機能機器は、動作システムとのインタラクションの間の任意の瞬間において、ユーザのインタラクションに対するレディネスに対応するインタラクション可能性がユーザに対して正確に指示され且つデマンドに対して提供されるよう自動相互通信手段によって互いに協働する。
2006518958.tif 000002
【特許請求の範囲】
【請求項１】
少なくとも１つの機能機器と、
少なくとも１つの遠隔制御ユニットと、
を有する電子動作システムであって、
前記遠隔制御ユニットと前記機能機器は、前記動作システムとのインタラクションの間の任意の瞬間に、ユーザのインタラクションに対するレディネスに対応するインタラクション可能性が該ユーザに対して正確に指示され且つデマンドに対して提供されるよう自動相互通信及び自動プロファイルマッチング手段によって互いに協働する電子動作システム。
【請求項２】
複数の機能機器が、送信／受信インタフェースを介して遠隔制御ユニットと、伝送範囲内において、自動的に通信する請求項１記載の電子動作システム。
【請求項３】
機器は、同時に機能機器及び遠隔制御ユニットの両方であり得る請求項２記載の電子動作システム。
【請求項４】
デマンドプロファイルは、前記機能機器にワイヤレスで自動的に伝送可能であり、
前記機能機器において、前記デマンドプロファイルは、サプライプロファイルとマッチングされ、
マッチング結果は、前記遠隔制御ユニットに示され且つ戻されることが可能である請求項２又は３記載の電子動作システム。
【請求項５】
サプライプロファイルは、前記機能機器から前記遠隔制御ユニットにワイヤレスで伝送可能であり、
前記遠隔制御ユニットにおいて、前記サプライプロファイルは、デマンドプロファイルとマッチングされることが可能である請求項２又は３記載の電子動作システム。
【請求項６】
前記システムに属する全ての機能機器と、遠隔制御ユニットと、構成要素とには、前記相互通信を実現するよう同一の通信規格における送信及び受信に適した手段が設けられる請求項１乃至５のうちいずれか一項記載の電子動作システム。
【請求項７】
各機能機器及び各遠隔制御ユニットには、前記機器におけるメモリ、並びに前記相互通信インタフェースにデータ−技術的に接続されるマイクロコンピュータが設けられる請求項１乃至６のうちいずれか一項記載の電子動作システム。
【請求項８】
前記機能機器による機能の供給は、前記ユーザによって所望及び／又は要求される機能に排他的に制限される請求項１乃至７のうちいずれか一項記載の電子動作システム。
【発明の詳細な説明】
【技術分野】
【０００１】
本発明は、少なくとも１つの機能機器と、ワイヤレス遠隔制御ユニットとを有する電子動作システムに係る。
【背景技術】
【０００２】
ワイヤレス通信技術は、遠隔制御ユニットを介した動作機器としても知られている。例えば、ブルートゥース規格に準じたワイヤレス接続は、通信の準備が整っている全ての機器間の動作上の接触の可能性を、それらの機器が関連の無線伝送範囲内にある限り、提供する。この場合、ネットワーク及び機器のアドレスが与えられるが、これは、ユーザに、インタラクションの可能性は通知しない。
【０００３】
更に、ＩＥＥＥ８０２．１１規格に準じたローカルエリアネットワークは、インフラストラクチャのないモードでは、１つのアドホックネットワークへの機器の直接ネットワークリンク付けをサポートする。この場合でも、ユーザは、そのアドホックネットワークにおける他の参加者とのインタラクションの提供される可能性について通知されない。
【０００４】
娯楽電子機器及びパーソナルコンピュータ範囲における多くの移動機器及び固定機器は、今日では、デジタルアドホック通信ネットワーク内に組み込まれることが可能であるようワイヤレス接続技術を使用する。
【発明の開示】
【発明が解決しようとする課題】
【０００５】
これに基づき、本発明は、上述したタイプの電子動作システムにおいてより集約的で、更によりユーザフレンドリな方法でインタラクションの可能性を実施することを目的とする。
【課題を解決するための手段】
【０００６】
本発明では、上述したタイプの電子動作システムにおける考えられた目的は、請求項１に記載される特徴によって解決される。
【０００７】
本発明の電子動作システムの更なる有利な実施例は、従属項に記載される。
【０００８】
本発明の電子動作システムの基本的な考えは、遠隔制御ユニットと機能機器は、動作が、ユーザによって出される要求に自動的に適用可能であるよう自動相互通信によって協働する。
【０００９】
最も単純な場合では、インタラクションの可能性は、サプライプロファイルとも称するオファーの量（Ｍ１、Ｍ２、…、Ｍｎ）によって表され、インタラクションに対するレディネス（readiness）は、デマンドプロファイルとも称する希望の量（Ｗ１、Ｗ２、…、Ｗｎ）によって表される。
【００１０】
インタラクションの可能性と、インタラクションに対するレディネスとの間に、対応がなければ、機能機器は、認識されない。
【００１１】
従って、適切であるインタラクションの可能性を提供する機能機器のみが認識される。即ち、動作システムは、適切ではない機能機器を除去する。適切であると検出される機能機器では、適切ではないインタラクションの可能性が除去される。
【００１２】
更なる有利な実施例では、複数の機能機器が、送信／受信インタフェースを介して遠隔制御ユニットと、伝送範囲内において、自動的に通信する。
【００１３】
更なる有利な実施例では、機器は、同時に機能機器及び遠隔制御ユニットの両方であり得る。動作パラメータ及び／又は動作機能は、交換可能である。
【００１４】
これは、機能機器及び遠隔制御ユニットは、それらがユーザに所望の機能を自動的に提供可能であるよう自動的に、且つ、ワイヤレス接続を介して、利用可能な機能について互いに通信することを意味する。
【００１５】
更なる有利な実施例では、デマンドプロファイルは、機能機器にワイヤレスで自動的に伝送可能であり、機能機器において、デマンドプロファイルは、サプライプロファイルとマッチングされ、マッチング結果は、遠隔制御ユニットに示され且つ戻されることが可能である。
【００１６】
更に、サプライプロファイルは、機能機器から遠隔制御ユニットにワイヤレスで伝送可能であり、遠隔制御ユニットにおいて、サプライプロファイルは、デマンドプロファイルとマッチングされることが可能であることが、有利である。
【００１７】
複数の機能機器又は１つの機能機器と、遠隔制御ユニットを近づけると、機能機器において、自動マッチングが発生され、それにより、動作デマンドを、無線接続を介して動作機能の可能な供給とに自動的にマッチングする。この点について、このことは、自動的に行われ、オペレータからは実質的に隠されることが重要である。これは、動作の容易さを大幅に高める。
【００１８】
更なる有利な実施例では、システムに属する全ての機能機器と、遠隔制御ユニットと、構成要素とには、相互通信を実現するよう同一の通信規格における送信及び受信に適した手段が設けられる。
【００１９】
更に、各機能機器及び各遠隔制御ユニットには、機器におけるメモリ、並びに相互通信インタフェースにデータ−技術的に接続されるマイクロコンピュータが設けられる。
【００２０】
更に、機能機器による機能の供給は、ユーザによって所望及び／又は要求される機能に排他的に制限される。
【００２１】
システムに属する全ての機能機器及び構成要素には、この相互通信を実現するよう伝送及び受信に適した同一の手段が設けられることが有利である。
【００２２】
各機能機器には、機器内のメモリ、並びに相互通信インタフェースにデータ−技術的に接続されるマイクロコンピュータが設けられる。
【００２３】
機能機器による機能の供給は、ユーザによって所望及び／又は要求される機能に排他的に制限される。このようにすると、周知の動作モードとは相当に異なる動作が達成される。
【００２４】
周知の動作システムでは、ユーザ又はオペレータは、ユーザ又はオペレータがセットすることを希望する又は要求する機能又はセッティングに到達するまで、機能選択されたメニュを切り替える面倒を有する。
【００２５】
このことは、本発明の動作システムでは異なる。機能機器と遠隔制御ユニットとの間の自動相互通信によって、実際に利用可能な機能及びセッティングが、ユーザの動作希望又はデマンドと一致して提供される。可能な機器特有機能の量は、量Ｍ１であり、ユーザによって所望されるセッティング機能は、別の量Ｗ１である。
【００２６】
システムにおいて、インタフェースの量は、Ｍ１及びＷ１から形成され、この量だけが、ユーザに提供される。これは、今までにない動作の容易さをもたらす。何故なら、システムの容量と動作デマンドは互いに自動的にマッチングされるからである。
【００２７】
従って、新しい機能機器を組み込むときに、使用説明の入念な勉強はもはや必要ではないが、本発明のインタラクションインタフェースを介して、他の機能機器の範囲内に持ってこられた新しい機能機器は、ユーザによって頻繁に要求されるデータと、システムにおいて利用可能な機能及びセッティングについてのデータを自動的に交換し、従って、それらを論理的に相互接続する。従って、新しい機器の使用説明を勉強する必要がない。機器は、自動的に「その場所を見つけ」、「その」機能をユーザに提供する。
【発明を実施するための最良の形態】
【００２８】
本発明の上述した面及び他の面は、以下に説明する実施例から明らかとなろう。また、以下に説明する実施例を参照して説明する。
【００２９】
図１は、本発明の動作システムの基本的な論理構造を示す。基本論理構造は、機能機器１０と、例えば、遠隔制御ユニット１１の形である動作装置とを有する。特定の機能機器１０において、機能及び特性は、オファー１の形で技術的に実施される。これらの特性は更に、機能機器において「利用可能な機能」として格納される。動作機能デマンド２は、遠隔制御ユニット１１内に格納される。
【００３０】
このために、概略的に示す機能機器１０及び遠隔制御ユニット１１は、その中に上述したデータが格納される記憶手段、並びに、データを計算し、データを機能及び可能ならば制御信号に変換するマイクロコンピュータを有する。
【００３１】
更に、マイクロコンピュータは、相互通信インタフェース５にも接続され、この相互通信インタフェース５を介して機能機器１０は、動作ユニット、即ち、遠隔制御ユニット１１とワイヤレス接触を確立可能である。
【００３２】
予想される動作機能デマンド２が、機器の利用可能な機能に対し考慮に入れられる。上述したように、本発明の特徴は、機器によって提供される機能が、オペレータによって予想される機能上に自動的にコピーされることである。
【００３３】
遠隔制御ユニット１１が、機能機器１０の無線範囲内に入ると、遠隔制御ユニットは、ユーザのデマンドを機能機器１０に相互通信インタフェース５を介して自動的に送信する。機能機器１０は、受信したユーザデマンドと機器の利用可能な機能１からカットセット（cut  set）を形成するマッチング装置４を有する。マッチング結果は、機能機器によるユーザ適応されたオファーの量である。カットセットが空ではない場合、機能機器１０は、このように決定された利用可能なオファーを、相互通信インタフェース５を介して遠隔制御ユニット１１にワイヤレスに伝送する。遠隔制御ユニット１１は、受信した利用可能なオファー３を格納し、それらを、ユーザによって要求可能であるインタラクション可能性としてユーザに示す。
【００３４】
ユーザ又はオペレータは、もはや、使用説明を骨折って進む必要がなくなり、ユーザが要求又は予想する機能は、デマンド時に自動的に提供される。
【００３５】
このシステムは、オーディオ機器、テレビジョン機器、パーソナルコンピュータ、移動電話機等に使用可能である。
【００３６】
更に、複数の機能機器が、遠隔制御ユニットを有するシステムに組み込まれてもよい。
【００３７】
更に、機能機器の機能性と遠隔制御ユニットの機能性を組み合わせた複合機器が可能である。
【００３８】
図２は、動作システムの１つの更なる有利な実施例を示し、ここでは、ユーザはデマンドを機能機器に転送する必要がなく、従って、第三者がこのユーザのデマンドについて通知されることを回避する。
【００３９】
図１と対照的に、遠隔制御ユニット１１が、マッチング装置４を有する。機能機器１０が、遠隔制御ユニット１１の伝送範囲内に入ると、機能機器は、このユニットに、ワイヤレスで、及び、相互通信インタフェース５を介して、機能機器１０の基本的にサポートされる機能（オファー）１を有するリストを与える。遠隔制御ユニット１１において、受信したオファーは、マッチング装置４におけるユーザのデマンド２と比較される。マッチング結果は、機能機器のユーザ適応された利用可能なオファーである。遠隔制御ユニット１１は、このように得られた利用可能なオファー３を格納し、それらを、ユーザに、ユーザによって要求可能なインタラクション可能性として示す。
【図面の簡単な説明】
【００４０】
【図１】本発明による動作システムの基本的な構造と、機能機器と遠隔制御ユニットとの間の相互通信を示す図である。
【図２】本発明による動作システムの代替の構造と、機能機器と遠隔制御ユニットとの間の相互通信を示す図である。
【図１】
2006518958.tif 000003
【図２】
2006518958.tif 000004
【国際調査報告】
2006518958.tif 000005
2006518958.tif 000006